(57)【要約】【課題】別途の滑り止めシートを使用することなく、丸物商品の積み上げ陳列においても陳列面に接する商品を傷つけることがなく、また、商材が転がることなく安定した保持ができ、多様な形状の陳列面にも適用できる商品陳列面構造体及びこれを用いた商品陳列台を提供すること。【解決手段】上下方向に貫通する穴２１を１又は２以上有するリブ構造の基部２の上面の一部又は全部に、軟質樹脂層１を一体成形して得られるものであって、穴２１を塞ぐ軟質樹脂層１が、クッション領域１ａである商品陳列面構造体１０ｃ。【選択図】図４
0003120835.tif 000002
【実用新案登録請求の範囲】
【請求項１】
商品陳列面の一部に、軟質樹脂からなるクッション領域を形成してなることを特徴とする商品陳列面構造体。
【請求項２】
上下方向に貫通する穴を１又は２以上有するリブ構造の基部の上面の一部又は全部に、軟質樹脂層を一体成形して得られるものであって、該穴を塞ぐ該軟質樹脂層が、前記クッション領域である請求項１記載の商品陳列面構造体。
【請求項３】
前記軟質樹脂が、熱可塑性エラストマーであることを特徴とする請求項１又は２記載の商品陳列面構造体。
【請求項４】
前記軟質樹脂層の厚みが、１．０±０．５ｍｍであることを特徴とする請求項１〜３のいずれか１項記載の商品陳列面構造体。
【請求項５】
前記クッション領域を上方に凸形状としたことを特徴とする請求項１〜４のいずれか１項記載の商品陳列面構造体。
【請求項６】
前記クッション領域を下方に凸形状としたことを特徴とする請求項１〜５のいずれか１項記載の商品陳列面構造体。
【請求項７】
前記クッション領域の裏面に、軟質樹脂のリブ部を形成したことを特徴とする請求項１〜６のいずれか１項記載の商品陳列面構造体。
【請求項８】
前記クッション領域の裏面で且つ前記基部のリブの側面部に、軟質樹脂のリブ部を形成したことを特徴とする請求項１〜７のいずれか１項記載の商品陳列面構造体。
【請求項９】
前記クッション領域の表面に、軟質素材のリブ部を形成したことを特徴とする請求項１〜８のいずれか１項記載の商品陳列面構造体。
【請求項１０】
前記基部の厚みが、１．５〜４．０ｍｍであることを特徴とする請求項１〜９のいずれか１項記載の商品陳列面構造体。
【請求項１１】
前記クッション領域の厚みを、前記基部より厚くし且つ上方に凸形状としたことを特徴とする請求項１〜３又は１０のいずれか１項記載の商品陳列面構造体。
【請求項１２】
前記基部が、硬質樹脂であることを特徴とする請求項１〜１１のいずれか１項記載の商品陳列面構造体。
【請求項１３】
前記硬質樹脂が、アクリロニトリロブタジエンスチレンであることを特徴とする請求項１２のいずれか１項記載の商品陳列面構造体。
【請求項１４】
前記クッション領域の平面視形状が、矩形状、円形、楕円形又は不定形状であることを特徴とする請求項１〜１３記載の商品陳列面構造体。
【請求項１５】
前記基部が露出している領域と、前記基部と軟質樹脂の２層構造の領域と、該クッション領域の３つの領域からなり、該基部が露出している領域に、商品仕切り板が嵌る溝を形成してなることを特徴とする請求項１〜１４記載の商品陳列面構造体。
【請求項１６】
板状物、シート状物又は山と谷が連続する波形物であることを特徴とする請求項１〜１５記載の商品陳列面構造体。
【請求項１７】
陳列商品が、丸い商材であることを特徴とする請求項１〜１６記載の商品陳列面構造体。
【請求項１８】
請求項１〜１７の商品陳列面構造体を備える商品陳列台。
【考案の詳細な説明】
【技術分野】
【０００１】
本考案は、スーパーや百貨店などで使用され、特に、りんごやみかん等の丸物の商品を、傷付けることなく、安定して保持することができる、商品陳列面構造体及びこれを備える商品陳列台に関するものである。
【背景技術】
【０００２】
従来、スーパーや百貨店などで使用される商品陳列台としては、陳列面が固定された商品陳列台や種々の形態の陳列面を形成できる商品陳列台が使用されている。これらの商品陳列台の陳列面は、陳列商品の重量に耐える構造とするため、容易には変形しない、硬いものである。
【０００３】
しかし、これらの商品陳列台の陳列面に、りんごやみかん等の丸物で且つ柔らかい商材を多数、積み上げて陳列する場合、陳列面と接するものが傷付き易い、すなわち、商材の保護に欠けるという問題がある。また、水平陳列面の場合、商品陳列時に商品が転がってしまい、陳列作業がし難く、更に商品を積み上げると崩れ易くなるという、商材の保持の悪さの問題がある。これらの問題を解決するものとして、軟質素材製の滑り止めシートを別途用意し、これを既存の商品陳列面に敷設し、該滑り止めシート上に商品を積み上げる方法が知られている。
【考案の開示】
【考案が解決しようとする課題】
【０００４】
しかしながら、従来の滑り止めシートを敷設する方法は、商品陳列面に商材を区画する仕切り板が存在する場合、商材毎にシートを所定寸法に切断して敷設する必要がある。また、山と谷が交互に連続する波形形状の陳列面に滑り止めシートを敷設する場合、通常、滑り止めシートの裏面も滑り難いため、谷部の陳列面に、滑り止めシートを密着させ難い、すなわち、陳列面の波形に沿って敷設し難いという問題がある。また、作業性を改善するため、滑り止めシートの裏面を滑り易くすると、商品陳列後、安定した陳列面を形成することができなくなるという問題がある。
【０００５】
従って、本考案の目的は、別途の滑り止めシートを使用することなく、丸物商品の積み上げ陳列においても陳列面に接する商品を傷つけることがなく、また、商材が転がることなく安定した保持ができ、多様な形状の陳列面にも適用できる商品陳列面構造体及びこれを用いた商品陳列台を提供することにある。
【課題を解決するための手段】
【０００６】
かかる実情において、本考案者は、鋭意検討を行った結果、貫通穴を有するリブ構造の基部の上面に、軟質樹脂層を一体成形して得られるものであれば、基部と軟質樹脂の２層構造部が、陳列面に強度を付与する部分となり、貫通穴を塞ぐ軟質樹脂層部分がクッション領域となり、該クッション領域に丸物商品を積み上げても、陳列面に接する商品を傷つけることがなく、また、商材が転がることなく安定した保持ができ、多様な形状の陳列面にも適用できることなどを見出し、本考案を完成するに至った。
【０００７】
すなわち、本考案は、商品陳列面の一部に、軟質樹脂からなるクッション領域を形成してなる商品陳列面構造体を提供するものである。
【０００８】
また、本考案は、上下方向に貫通する穴を１又は２以上有するリブ構造の基部の上面の一部又は全部に、軟質樹脂層を一体成形して得られるものであって、該穴を塞ぐ該軟質樹脂層が、前記クッション領域である前記商品陳列面構造体を、また、本考案は、前記軟質樹脂が、熱可塑性エラストマーである前記商品陳列面構造体を、また、本考案は、前記軟質樹脂層の厚みが、１．０±０．５ｍｍである前記商品陳列面構造体を、また、本考案は、前記クッション領域を上方に凸形状とした前記商品陳列面構造体を、また、本考案は、前記クッション領域を下方に凸形状とした前記商品陳列面構造体を、また、本考案は、前記クッション領域の裏面に、軟質樹脂のリブ部を形成した前記商品陳列面構造体を、また、本考案は、前記クッション領域の裏面で且つ前記基部のリブの側面部に、軟質樹脂のリブ部を形成した前記商品陳列面構造体を、また、本考案は、前記クッション領域の表面に、軟質素材のリブ部を形成した前記商品陳列面構造体をそれぞれ提供するものである。
【０００９】
また、本考案は、前記基部の厚みが、１．５〜４．０ｍｍである商品陳列面構造体を、また、本考案は、前記クッション領域の厚みを、前記基部より厚くし且つ上方に凸形状とした商品陳列面構造体を、また、本考案は、前記基部が、硬質樹脂である前記商品陳列面構造体を、また、本考案は、前記硬質樹脂が、アクリロニトリロブタジエンスチレンである前記商品陳列面構造体を、また、本考案は、前記クッション領域の平面視形状が、矩形状、円形、楕円形又は不定形状である前記商品陳列面構造体を、また、本考案は、前記基部が露出している領域と、前記基部と軟質樹脂の２層構造の領域と、該クッション領域の３つの領域からなり、該基部が露出している領域に、商品仕切り板が嵌る溝を形成してなる前記商品陳列面構造体を、また、本考案は、板状物、シート状物又は山と谷が連続する波形物である前記商品陳列面構造体を、また、本考案は、陳列商品が、丸い商材である前記商品陳列面構造体を、また、本考案は、前記商品陳列面構造体を備える商品陳列台をそれぞれ提供するものである。
【考案の効果】
【００１０】
本考案によれば、別途の滑り止めシートを使用することなく、丸物商品の積み上げ陳列においても陳列面に接する商品を傷つけることがなく、また、商材が転がることなく安定した保持ができ、多様な形状の陳列面にも適用できる。また、商品が滑り難くなることで、商品陳列時の作業性が向上する。また、クッション領域を凸形状、凹形状あるいは凸形状と凹形状の繰り返し形状とすることにより、クッション性を高めたり、陳列商品の保持性を高めたりすることができる。更にクッション領域の上面又は下面に軟質樹脂のリブ部を形成することにより、該クッション領域の補強効果を付与することができる。
【考案を実施するための最良の形態】
【００１１】
次に、本考案の実施の形態に係る商品陳列面構造体を図１及び図２を参照して説明する。図１は本例の商品陳列面構造体の一部の断面図を示し、図２は本例の商品陳列面構造体の平面図をそれぞれ示す。商品陳列面構造体１０ａは、商品陳列面１５の一部に、軟質樹脂からなるクッション領域１６を一体形成してなるものである。すなわち、商品陳列面構造体１０ａは、上下方向に貫通する穴２１を有するリブ構造の基部２の上面に、軟質樹脂層１を一体成形して得られるものであって、穴２１を塞ぐ軟質樹脂層部分が、クッション領域であり、それ以外の領域は、基部２と軟質樹脂１の２層構造からなる非クッション領域２ａである。
【００１２】
基部２は、商品陳列面１５の補強部となるもので、貫通穴２１は、軟質樹脂層１６が形成された後は、クッション領域となるものである。例えば図２の商品陳列面構造体１０ａの場合、基部２は矩形の板状物中、複数、本例では６つの小さな矩形状の窓部２１ａがくり抜かれたものである。なお、貫通穴２１の形状としては、特に制限されず、矩形、円形、楕円及び不定形等のあらゆる形状のものが挙げられる。また、貫通穴２１の大きさとしては、特に制限されず、陳列面の大部分をひとつのクッション領域で構成する大きなものから、スリット状のように小さな幅寸法のものまで、広く使用できる。基部２中、貫通穴２１は、通常複数個有するが、ひとつであってもよい。
【００１３】
基部の材質としては、例えばアクリロニトリロブタジエンスチレンなどのような硬質樹脂が挙げられる。これにより、補強部材として機能することができる。また、基部の厚さとしては、特に制限されないが、１．５〜４．０ｍｍの範囲で適宜決定すればよい。基部の形状は、通常、そのまま陳列面の外形を形成するものであるため、板状物、シート状物、山と谷が交互に連続する波形状物など、種々の形状のものが使用できる。
【００１４】
軟質樹脂１としては、特に制限されないが、例えば熱可塑性エラストマーが挙げられる。熱可塑性エラストマーとしては、スチレン系熱可塑性エラストマーが挙げられる。その物性の一例を示すと、硬さ（Ａ）（ＪＩＳ  Ｋ６２５２）４０〜７０ポイント、比重（ＪＩＳ  Ｋ７１１３）０．９０〜１．００、伸び（ＪＩＳ  Ｋ６２５１）６５０〜９００％、引裂強さ（ＪＩＳ  Ｋ６２５２）２０〜５０ｋＮ/ｍである。また、このスチレン系熱可塑性エラストマーは透明又は半透明であり、架橋ゴム（通常のゴム）に近い弾性を示す。熱可塑性エラストマーのこの優れた弾性は、これをクッション領域に使用すれば、例えばりんご、みかん等の丸物商品を積み重ねて陳列した場合、当該部分と接触する商品を傷つけ難くすることができる。
【００１５】
軟質樹脂１の厚みとしては、特に制限されず、１．０±０．５ｍｍの範囲で適宜決定される。軟質樹脂の厚みが薄過ぎると、クッション性が損なわれ、軟質樹脂の厚みが厚過ぎると、軟質樹脂素材の無駄使いとなってしまう。
【００１６】
基部２の上面に軟質樹脂層を一体成形する方法としては、射出成形機を用いた公知のインサート成形が使用される。すなわち、予め基部２を成形し、次いで金型内に基部２をセットし、更に別の金型をセットし、軟質樹脂を流し込み硬化させ、硬質樹脂からなる基部２と軟質樹脂層１の２層構造物を得る。この射出成形機を用いたインサート成形が適用できる限り、基部２の形状は特に制限されず、種々の形状のものが適用でき、更に、基部上の全部又は一部に軟質樹脂層１を形成することができる。基部の上面の一部に軟質樹脂層１を形成する形態としては、例えば、図１６に示す商品陳列面構造体が挙げられる。図１６（Ａ）は、商品陳列面構造体１０ｋの平面図、（Ｂ）はその側面図である。商品陳列面構造体１０ｋは、商品陳列面１５に商材を図中において左右に区画する不図示の仕切り板が嵌る縦溝３を備える。この縦溝は、軟質樹脂層１が形成されていない部分であり、基部２（縦溝３の底面）がそのまま表面に露出する部分である。
【００１７】
商品陳列面構造体１０ａは、そのまま板状の商品陳列台として使用することができる。商品陳列面構造体１０ａによれば、例えば、クッション領域１６と非クッション領域２ａの双方に陳列商品を載せることができる（図１１参照）。この場合、クッション領域１６は、図４、５及び図７〜図１０に示すような、凸形状とすると共に、クッション領域１６間に挟まれた非クッション領域２ａを狭くすれば、陳列商品Ａがクッション領域１６の軟質樹脂と接触し易い陳列形態を採ることができる。また、商品陳列面構造体１０ａによれば、例えば、陳列商品を主に、クッション領域１６に載せることができる（図１２参照）。この場合、クッション領域１６は、広い面積を有し、且つ図６に示すような凹形状にすれば、陳列商品Ａがクッション領域１６の軟質樹脂と接触し易い陳列形態を採ることができる。
【００１８】
次に、クッション領域１６の採り得る形態を図３〜図１０を参照して説明する。図３の商品陳列面構造体１０ｃにおいて、図１の商品陳列面構造体１０ａと異なる点は、クッション領域１６の裏面で且つ基部２のリブの側面部１７に、軟質樹脂のリブ部１１を形成したことにある。これにより、商品陳列面構造体１０ｂは、クッション領域１６における商材保持強度を高めることができ、更に軟質樹脂層１と基部２のクッション領域１６側上方の角部ｘにおける引張りの負荷を低減して寿命を長くすることができる。
【００１９】
図４の商品陳列面構造体１０ｃにおいて、図３の商品陳列面構造体１０ｂと異なる点は、クッション領域１６の厚みを厚くして、上方に凸形状１ａとしたものである。これにより、商品陳列面構造体１０ｃは、商品陳列面構造体１０ｂと同様の効果を奏する他、クッション部の強度を高めることができる。
【００２０】
図５の商品陳列面構造体１０ｄにおいて、図４の商品陳列面構造体１０ｃと異なる点は、クッション領域１６の上面中央を凹形状として、凸形状１２と凹形状１８からなる２つの山形状１ｂとした点にある。これにより、商品陳列面構造体１０ｄは商品陳列面構造体１０ｃと同様の効果を奏する他、陳列商品の保持性能が向上する。
【００２１】
図６の商品陳列面構造体１０ｅにおいて、図１の商品陳列面構造体１０ａと異なる点は、クッション領域１６を凹形状１ｃとした点にある。これにより、商品陳列面構造体１０ｅは商品陳列面構造体１０ａと同様の効果を奏する他、陳列商品の保持性能が向上する。
【００２２】
図７の商品陳列面構造体１０ｆにおいて、図１の商品陳列面構造体１０ａと異なる点は、クッション領域１６を凸形状１ｄとした点にある。これにより、商品陳列面構造体１０ｆは商品陳列面構造体１０ａと同様の効果を奏する他、クッション性能が向上する。
【００２３】
図８の商品陳列面構造体１０ｇにおいて、図７の商品陳列面構造体１０ｆと異なる点は、クッション領域１６の下面の中央に軟質樹脂のリブ部１３を形成して形状１ｅとした点にある。これにより、商品陳列面構造体１０ｇは商品陳列面構造体１０ｄと同様の効果を奏する他、クッション領域１６の保持強度が向上する。
【００２４】
図９の商品陳列面構造体１０ｈにおいて、図４の商品陳列面構造体１０ｃと異なる点は、クッション領域１６の裏面を基部２の底面と同じにして、厚みを厚くした形状１ｆとした点にある。これにより、商品陳列面構造体１０ｈは商品陳列面構造体１０ｃと同様の効果を奏する他、クッション領域１６の保持強度が向上する。
【００２５】
図１０の商品陳列面構造体１０ｉにおいて、図８の商品陳列面構造体１０ｅと異なる点は、クッション領域１６の上面の中央に軟質樹脂のリブ部１４を形成して形状１ｇとした点にある。これにより、商品陳列面構造体１０ｇは商品陳列面構造体１０ｇと同様の効果を奏する他、リブ部１４が陳列商品の転び止めとなり、クッション領域１６における陳列商品の保持性能が向上する。
【００２６】
なお、本考案の商品陳列面構造体は、クッション領域１６における形状などは、上記図３〜図１０のものに限定されず、上記形状の組み合わせの他、種々の形状を採ることができる。例えば、クッション領域１６における上面又は下面に形成された軟質樹脂のリブ部は、複数平行に配置してもよく、また、当該リブ部に対して、直交するリブ部を新たに設けてもよい。また、基部２の端部において、軟質樹脂は、端部を巻くように設置されてもよく、更にこの巻きを延ばして、裏面にまで到達するような設置形態であってよい。
【００２７】
次に、本考案の実施の形態に係る他の商品陳列面構造体を図１３〜図１５を参照して説明する。図１３（Ａ）は本例の商品陳列面構造体の斜視図を示し、（Ｂ）は図１３（Ｂ）の丸印部分の拡大図を示し、図１４は図１３の商品陳列面構造体の水平陳列面における一部の断面図を示し、図１５は図１３の商品陳列面構造体の水平陳列面における一部の平面図をそれぞれ示す。商品陳列面構造体１０ｊは、階段形状の商品陳列面を構成するものであり、図１３中、水平部分の陳列面２８の一部に、軟質樹脂からなるクッション領域１６を一体形成したものである。すなわち、商品陳列面構造体１０ｊは、基部が、階段状であって、階段状の角部に前後方向に所定の長さで且つ左右方向に所定のピッチで縦溝１５が形成され、更に水平陳列面に矩形状の貫通穴を多数有するリブ構造のものであり、これを予め成形しておき、更に金型にこの基部をセットし、更に別の金型をセットして、軟質樹脂を流し、縦溝１５を避け且つ水平陳列面に軟質樹脂を積層形成したものである。従って、商品陳列面構造体１０ｊは、基部の上面が露出する領域１９（垂直部材）と、クッション領域１６と、基部と軟質樹脂の２層構造の非クッション領域２ａの３つの領域からなるものである。なお、基部の縦溝１５は貫通溝であり、且つ軟質樹脂の被覆もない部分である。この商品陳列面構造体１０ｉは、通常、不図示の階段状の陳列基台に載置されて商品陳列台を形成する。商品陳列面構造体１０ｊによれば、商品陳列面構造体１０ａと同様の効果を奏する他、複雑な形状の基部に対しても、商品が載置される陳列面にクッション領域を形成することができる。
【図面の簡単な説明】
【００２８】
【図１】本例の商品陳列面構造体の一部の断面図である。
【図２】本例の商品陳列面構造体の平面図である。
【図３】クッション領域の他の形態を説明する図である。
【図４】クッション領域の他の形態を説明する図である。
【図５】クッション領域の他の形態を説明する図である。
【図６】クッション領域の他の形態を説明する図である。
【図７】クッション領域の他の形態を説明する図である。
【図８】クッション領域の他の形態を説明する図である。
【図９】クッション領域の他の形態を説明する図である。
【図１０】クッション領域の他の形態を説明する図である。
【図１１】本例の商品陳列面構造体を有する商品陳列台の使用状態を示す図である。
【図１２】本例の商品陳列面構造体を有する商品陳列台の他の使用状態を示す図である。
【図１３】本例の他の商品陳列面構造体の斜視図である。
【図１４】図１３の商品陳列面構造体の水平陳列面の一部の断面構造である。
【図１５】図１３の商品陳列面構造体の水平陳列面の一部の平面図である。
【図１６】本例の商品陳列面構造体の変形例を説明する図である。
【符号の説明】
【００２９】
１      軟質樹脂（軟質樹脂層）      
１ａ〜１ｇ      クッション領域の形状
２      基部
２ａ    基部の軟質樹脂の２層構造部
３      縦溝
１０ａ〜１０ｋ    商品陳列面構造体
１１〜１３      軟質樹脂のリブ部
１５      商品陳列面
１６      クッション領域
２１      貫通穴
【図１】
0003120835.tif 000003
【図２】
0003120835.tif 000004
【図３】
0003120835.tif 000005
【図４】
0003120835.tif 000006
【図５】
0003120835.tif 000007
【図６】
0003120835.tif 000008
【図７】
0003120835.tif 000009
【図８】
0003120835.tif 000010
【図９】
0003120835.tif 000011
【図１０】
0003120835.tif 000012
【図１１】
0003120835.tif 000013
【図１２】
0003120835.tif 000014
【図１３】
0003120835.tif 000015
【図１４】
0003120835.tif 000016
【図１５】
0003120835.tif 000017
【図１６】
0003120835.tif 000018